(57)【特許請求の範囲】
【請求項１】
下地コンクリートの表面に防水用の表面処理層を備えるスラブの一部領域について既存の前記表面処理層を除去して露出した前記下地コンクリートに形成される据付け基礎において、
前記コンクリートの上に設置され、かつ環状の主体部と該主体部の上部で外側に張り出した上部拡大部とを備えるプレコンクリート部材と、このプレコンクリート部材の内側の空洞部内に配筋された鉄筋と、前記プレコンクリート部材の前記空洞部に打設されて硬化した充填材料部と、前記プレコンクリート部材の前記主体部が設置される領域より広い領域で除去された既存の前記表面処理層の一部を補修して再形成された、防水機能を備える新たな表面処理層とから構成され、
前記鉄筋の一端側は、前記下地コンクリートに埋め込まれ、他端側は、前記下地コンクリートから立ち上がって、前記プレコンクリート部材の前記空洞部に打設されて硬化した前記充填材料部に埋設され、
再形成された新たな前記表面処理層が、既存の前記表面処理層から連続するように前記下地コンクリート表面に設置され、かつ前記プレコンクリート部材の前記主体部外側面に立ち上がって密着された第１樹脂シートと、前記プレコンクリート部材の前記主体部外側面に沿って設けられた前記第１樹脂シートの表面を含めた前記第１樹脂シートの全ての表面上に設けられたアスファルト層と、前記下地コンクリートの直上に位置する前記アスファルト層にのみ設けられた押さえコンクリートと、前記プレコンクリート部材の前記主体部外側面に沿って配置された前記第１樹脂シート表面上の前記アスファルト層上にのみ設けられたモルタル層と、既存の前記表面処理層から連続するように前記押さえコンクリートと前記モルタル層との表面に設置された防水シートとから構成され、
前記第１樹脂シート、前記アスファルト層、前記押さえコンクリート、前記モルタル層、及び前記防水シートからなる再形成された前記表面処理層における前記プレコンクリート部材の前記主体部外側面に沿って立ち上がった上端部が、前記上部拡大部の下面と前記主体部の外側面との連接部でシール端部金物押さえにより前記主体部に固定されていることを特徴とする据付け基礎。
【請求項２】
下地コンクリートの表面に防水用の表面処理層を備えるスラブの一部領域について既存の前記表面処理層を除去して露出した前記下地コンクリートに形成される据付け基礎を施工する方法において、
前記下地コンクリートの上に設置され、環状の主体部と該主体部の上部で外側に張り出した上部拡大部とを備えるプレコンクリート部材の前記主体部が設置される領域より広い領域で既存の前記表面処理層を除去する工程と、前記表面処理層が除去されて前記下地コンクリートが露出した部分の所定箇所に鉄筋の一端側を埋め込む工程と、次いで、前記下地コンクリートの露出部分に、前記下地コンクリートから立ち上がった前記鉄筋の他端側を取り囲むように前記下地コンクリート上に環状の前記プレコンクリート部材を配置する工程と、その後、前記プレコンクリート部材の内側の空洞部に充填材を打設し、前記鉄筋の前記他端側を埋め込む工程と、既存の前記表面処理層を除去した箇所を補修して防水機能を備える新たな表面処理層を再形成する工程とから構成され、
再形成される新たな前記表面処理層が、既存の前記表面処理層から連続するように第１樹脂シートを前記下地コンクリート表面に設置すると共に、前記プレコンクリート部材の前記主体部外側面に立ち上げて密着させ、前記プレコンクリート部材の前記主体部外側面に沿って設けられた前記第１樹脂シートの表面を含めた前記第１樹脂シートの全ての表面上にアスファルト層を設け、前記下地コンクリートの直上に位置する前記アスファルト層にのみ押さえコンクリートを打設すると共に、前記プレコンクリート部材の前記主体部外側面に沿って配置された前記第１樹脂シート表面上の前記アスファルト層上にモルタル層を設け、既存の前記表面処理層から連続するように前記押さえコンクリートと前記モルタル層との表面に防水シートを設置することにより形成され、
その後、前記第１樹脂シート、前記アスファルト層、前記押さえコンクリート、前記モルタル層、及び前記防水シートからなる再形成された前記表面処理層における前記プレコンクリート部材の前記主体部外側面に沿って立ち上がった上端部を、前記上部拡大部の下面と前記主体部の外側面との連接部でシール端部金物押さえにより前記主体部に固定することを特徴とする据付け基礎の施工方法。
【発明の詳細な説明】
【技術分野】
【０００１】
本発明は、据付け基礎及びその施工方法に関し、更に詳細には、新築若しくは既存のコンクリート構造物のスラブ、或いは新設又は既存のコンクリートの上に水槽、ソーラーパネル或いはクーリングタワーなどの機器、若しくは鉄塔や鉄骨建設物などを設置するための据付け基礎及びその施工方法に関する。
【背景技術】
【０００２】
例えば、新築若しくは既存の鉄筋コンクリート造等の建築構造物では、機械室の床や屋上に水槽、空調設備のクーリングタワー、或いはソーラーパネルなどの様々な機器が設置される。通常、このような機器は、機器内部への水の侵入を防いだり或いは種々の目的からスラブの表面に直置きすることはなく、スラブから所定高さを確保する据付け基礎に乗せて設置される。新築或いは既に建造されたコンクリート建物のいずれでも、機器を設置する箇所に据付け基礎を形成する場合には、該基礎をスラブに固結して形成しなければならない。
【０００３】
そこで、このような据付け基礎における従来の技術について具体的に説明する。特許文献１には、「太陽電池パネル据え付け構造」に関する発明が開示されている。この特許文献１で説明している従来技術は、太陽電池パネルなどの設置現場においてその据え付け箇所で型枠を製作し、その型枠内にコンクリートを流し込んで硬化させることにより基礎を形成し、搬送されてきた太陽電池パネル及びその架台をその基礎の上に組み付ける、というものであった。そして、特許文献１において、このような従来の据付け基礎では、常に、設置現場で型枠を製作しなければならないので手間が掛かり、しかもこの型枠内に流し込んだコンクリートの硬化は天候などに左右されるので太陽電池パネルを設置する上での工期を正確に設定することができない、等の問題点を挙げている。
【０００４】
かかる従来の問題点を解決するために、特許文献１に開示された発明では、コンクリート又は鉄筋コンクリート製で運搬可能な基礎を予め製作しておき、それを設置現場に搬送し、例えばスラブなどの設置予定面に薄くセメント層を形成してこれを接着層としてその上に載せてスラブに固定して一体化し、その後に太陽電池パネルの設置用架台をそれらの基礎に据え付けるようにするものであった。これにより、機器を据え付けるための基礎を形成する際に設置現場で型枠を製作する必要がないので手間が省け、また天候などに左右されないので作業の簡略化や工期の正確な設定が行える効果がある、としている。
【先行技術文献】
【特許文献】
【０００５】
【特許文献１】特開平９−０７０１８８号公報
【発明の概要】
【発明が解決しようとする課題】
【０００６】
しかしながら、前述した特許文献１に記載された発明では、機器を据え付ける基礎それ自体を、例えば工場などから運搬してくることになり、その基礎自体はかなりの重量があることから設置現場まで運搬するのに大変な労力を必要とする。機器が据え付けられる場所が、例えば、新築或いは既存建物の屋上であったり、地下室であったりする場合には、工場から運搬してきた重い基礎を所定箇所に設置するのに更に大変な労力が掛かる。その結果、特許文献１に開示された発明では、機器据付用の基礎を施工する労力やコストが低減されない、という問題があった。
【０００７】
また、特許文献１に記載された発明では、機器を据え付ける基礎それ自体を、例えば工場で製作し、それを設置現場まで運んでくるので、これをスラブに固定する場合、モルタルを接着層としてスラブに固定する方法、或いは推状の凹部をスラブに形成して基礎の下端を嵌め込む方法しか無く、スラブと強固な一体化を図ることが難しい、という問題もあった。このような問題の解決は、例えば、大きな風圧を受け易い機器を屋上スラブに据え付けるような場合、非常に重要であった。
【０００８】
さらに、特許文献１の記載では、設置場所に防水層が施されている場合についてはまったく言及されていないが、もし、防水層が施されたコンクリート建物の屋上などに特許文献１に記載の技術を用いて太陽電池パネルを設置する場合には、当然に、既存防水層の補修を行わなければならない。そのような場合、この防水補修工事における養生期間も予定しなければならないことから工期がより長くなり、また、前述したように天候に左右されることと相まって、工期を正確に設定することができない、という問題が考えられた。
【０００９】
本発明の目的は、かかる従来の問題点を解決するためになされたもので、新築又は既存のコンクリート建物のスラブやコンクリートの上に機器や鉄骨建造物などを設置するとき、そのための基礎を効率的且つ強固に形成し、その設置に要する労力や設置のための工期、或いは設置コストを一層低減化することのできる据付け基礎及びその施工方法を提供することにある。
【課題を解決するための手段】
【００１０】
本発明は、下地コンクリートの表面に防水用の表面処理層を備えるスラブの一部領域について既存の前記表面処理層を除去して露出した前記下地コンクリートに形成される据付け基礎である。本発明が特徴とするところは、前記コンクリートの上に設置され、かつ環状の主体部と該主体部の上部で外側に張り出した上部拡大部とを備えるプレコンクリート部材と、このプレコンクリート部材の内側の空洞部内に配筋された鉄筋と、前記プレコンクリート部材の前記空洞部に打設されて硬化した充填材料部と、前記プレコンクリート部材の前記主体部が設置される領域より広い領域で除去された既存の前記表面処理層の一部を補修して再形成された、防水機能を備える新たな表面処理層とから構成され、前記鉄筋の一端側は、前記下地コンクリートに埋め込まれ、他端側は、前記下地コンクリートから立ち上がって、前記プレコンクリート部材の前記空洞部に打設されて硬化した前記充填材料部に埋設され、再形成された新たな前記表面処理層が、既存の前記表面処理層から連続するように前記下地コンクリート表面に設置され、かつ前記プレコンクリート部材の前記主体部外側面に立ち上がって密着された第１樹脂シートと、前記プレコンクリート部材の前記主体部外側面に沿って設けられた前記第１樹脂シートの表面を含めた前記第１樹脂シートの全ての表面上に設けられたアスファルト層と、前記下地コンクリートの直上に位置する前記アスファルト層にのみ設けられた押さえコンクリートと、前記プレコンクリート部材の前記主体部外側面に沿って配置された前記第１樹脂シート表面上の前記アスファルト層上にのみ設けられたモルタル層と、既存の前記表面処理層から連続するように前記押さえコンクリートと前記モルタル層との表面に設置された防水シートとから構成され、前記第１樹脂シート、前記アスファルト層、前記押さえコンクリート、前記モルタル層、及び前記防水シートからなる再形成された前記表面処理層における前記プレコンクリート部材の前記主体部外側面に沿って立ち上がった上端部が、前記上部拡大部の下面と前記主体部の外側面との連接部でシール端部金物押さえにより前記主体部に固定されていることにある。
【００１１】
また、本発明は、下地コンクリートの表面に防水用の表面処理層を備えるスラブの一部領域について既存の前記表面処理層を除去して露出した前記下地コンクリートに形成される据付け基礎を施工する方法である。本発明が特徴とするところは、前記下地コンクリートの上に設置され、環状の主体部と該主体部の上部で外側に張り出した上部拡大部とを備えるプレコンクリート部材の前記主体部が設置される領域より広い領域で既存の前記表面処理層を除去する工程と、前記表面処理層が除去されて前記下地コンクリートが露出した部分の所定箇所に鉄筋の一端側を埋め込む工程と、次いで、前記下地コンクリートの露出部分に、前記下地コンクリートから立ち上がった前記鉄筋の他端側を取り囲むように前記下地コンクリート上に環状の前記プレコンクリート部材を配置する工程と、その後、前記プレコンクリート部材の内側の空洞部に充填材を打設し、前記鉄筋の前記他端側を埋め込む工程と、既存の前記表面処理層を除去した箇所を補修して防水機能を備える新たな表面処理層を再形成する工程とから構成され、再形成される新たな前記表面処理層が、既存の前記表面処理層から連続するように第１樹脂シートを前記下地コンクリート表面に設置すると共に、前記プレコンクリート部材の前記主体部外側面に立ち上げて密着させ、前記プレコンクリート部材の前記主体部外側面に沿って設けられた前記第１樹脂シートの表面を含めた前記第１樹脂シートの全ての表面上にアスファルト層を設け、前記下地コンクリートの直上に位置する前記アスファルト層にのみ押さえコンクリートを打設すると共に、前記プレコンクリート部材の前記主体部外側面に沿って配置された前記第１樹脂シート表面上の前記アスファルト層上にモルタル層を設け、既存の前記表面処理層から連続するように前記押さえコンクリートと前記モルタル層との表面に防水シートを設置することにより形成され、その後、前記第１樹脂シート、前記アスファルト層、前記押さえコンクリート、前記モルタル層、及び前記防水シートからなる再形成された前記表面処理層における前記プレコンクリート部材の前記主体部外側面に沿って立ち上がった上端部を、前記上部拡大部の下面と前記主体部の外側面との連接部でシール端部金物押さえにより前記主体部に固定することにある。
【発明の効果】
【００１２】
本発明に係る据付け基礎によると、プレコンクリート部材は、環状になっていて内部が空洞であるため軽いことから、従来のように重量のある基礎自体を運搬するのに比べ、格段に作業が楽になる。しかも、プレコンクリート部材を設置した後に内側の空洞部に充填材を打設するため、例えば、機器などを据付ける際にはその架台の脚を同時に埋め込むこともでき、更に、機器を設置する予定箇所のコンクリートに鉄筋の一端側を埋め込んだ後にこの鉄筋を取り囲むように環状のプレコンクリート部材を配置してその内部の空洞部に充填材を打設して基礎を完成させるので、非常に強固な基礎が形成でき、しかもかかる基礎を作業労力があまり掛からず、かつ工期が短く、低コストで形成することができる、という優れた効果を奏する。
【００１３】
また、本発明に係る据付け基礎によると、機器などを設置する場所が既存のコンクリート建物の屋上のような表面に防水機能付きの表面処理層を備えたスラブであるときでも、所定範囲の表面処理層を取り除いた後の露出した下地コンクリート面にプレコンクリート部材を配置するので、これを配置した直後にプレコンクリート部材外周囲付近の表面処理層を補修（新たな表面処理層を施す）ことができるので、据付け基礎の施工を非常に迅速にできる。そのため、屋上のような防水機能を備える表面処理層が施されている箇所でも天候を心配することなく据付け基礎を形成することができる。
【００１４】
更に、本発明に係る据付け基礎を施工する方法によると、コンクリートに鉄筋の一端側を埋め込んで、その鉄筋の他端側を取り囲むようにコンクリートの上に環状のプレコンクリート部材を配置した後にプレコンクリート部材の内側の空洞部に充填材を打設して硬化させる、という一連の非常に簡単な工程により据付け基礎を形成できるため、多大な労力を掛けることなく、かつ僅かな工期で強固な基礎を形成することができる、という優れた効果を奏する。
【００１５】
また、本発明に係る据付け基礎を施工する方法によると、例えば、機器などを設置する場所がコンクリート建物の屋上のように表面に防水機能付きの表面処理層が施されたスラブであるときでも、所定範囲の表面処理層を取り除いた後の露出した下地コンクリート面にプレコンクリート部材を配置した直後にプレコンクリート部材外周囲付近における表面処理層を補修して新たな表面処理層を施すことができるので、据付け基礎の施工を非常に迅速にできる。そのため、屋上のような防水機能を備える表面処理層が施されている箇所でも天候を心配することなく据付け基礎を施工することができる。
【図面の簡単な説明】
【００１６】
【図１】既存のコンクリート建物の屋上スラブに形成された本発明の一実施形態に係る据付け基礎を示す斜視図。
【図２】図１の２−２線で切断して示す据付け基礎の断面図。
【図３】据付け基礎を施工する屋上スラブを概略的に示す断面図。
【図４】図３の屋上スラブに据付け基礎を施工する断面図。
【図５】図４に続き屋上スラブに据付け基礎を施工する断面図。
【図６】図５に続き屋上スラブに据付け基礎を施工する断面図。
【図７】図６に続き屋上スラブに据付け基礎を施工する断面図。
【図８】本発明の第２の実施形態に係る据付け基礎を形成途中の状態で示す平面図。
【図９】図８に示される据付け基礎の断面図。
【発明を実施するための形態】
【００１７】
図１及び図２には、本発明における第１の実施形態に係る据付け基礎（以下、基礎と称する）１０Ａが２つ示されている。これらの基礎１０Ａは、既存のコンクリート建築物におけるスラブ１１に形成されている。ここで、「スラブ」とは、厳密には「床版」を意味するが、この明細書では、コンクリート建物の床のみならず屋上なども含む意味で用いている。図１に示される２つの基礎１０Ａは、既存のコンクリート建物の屋上スラブ１１に形成されている。この基礎１０Ａは、プレコンクリート部材１２を備えている。このプレコンクリート部材１２は、予め工場などで形成され、内部にはせん断補強筋が埋設されたもので、横断面が四角形の空洞部１３（図６を参照）を画成するように環状に形成されている。
【００１８】
環状のプレコンクリート部材１２の構成を更に具体的に説明すると、該プレコンクリート部材１２は、横断面が四角形をした環状の主体部１２ａと、この主体部１２ａの上部外周において外側に張り出すように一体的に形成され、主体部１２ａよりも大きな上部拡大部１２ｂとにより構成されている。上部拡大部１２ｂの外形も横断面が四角形状であるが、主体部１２ａの上部内縁から上部拡大部１２ｂの上部外縁までの上面は外側に僅かに傾斜した傾斜面１２ｃとされている。この基礎１０Ａの構成については、その施工方法と共にさらに詳しく説明する。コンクリート建物の屋上スラブ１１では、図３に示されるように、下地コンクリート表面１４上に防水機能を備える表面処理層（以下、「防水層」と称する）１５が形成されている。
【００１９】
この防水層１５は、下地コンクリート表面１４を平坦にするためのモルタル層１６、その上に防水のために形成されたアスファルト層１７、更にその上にアスファルト層１７を保護するために形成されたコンクリート層（押さえコンクリート層）１８から構成されている。既存のコンクリート建物における屋上スラブ１１に本発明の基礎１０Ａを形成する場合を例とする第１の実施形態では、防水層１５が基礎１０Ａの施工前から既に形成されているので、この明細書では「既存防水層」１５と称することにする。この実施形態において、既存防水層１５は、上述のようにモルタル層１６と、アスファルト層１７と、押さえコンクリート層１８とにより構成したものを示しているが、防水機能を備える従来の表面処理層即ち防水層には種々の層構成があり、例えば、押さえコンクリート層１８の上にさらにウレタン樹脂を塗布して被膜を形成する場合もある。このような屋上スラブ１１に基礎１０Ａが形成されるとき、図４に示されるように屋上スラブ１１の基礎形成予定位置には、プレコンクリート部材１２の主体部１２ａにおける底面形状に整合する領域部分１９について既存防水層１５が除去され、下地コンクリート表面１４が露出される。
【００２０】
より具体的には、プレコンクリート部材１２の主体部１２ａにおける底面形状に整合する領域部分１９について、既存防水層１５がすべて除去されて下地コンクリート表面１４が露出される。他方、既存防水層１５がすべて除去された領域部分１９より外側の環状領域部分については、主体部１２ａの外側面から外方へ張出した上部拡大部１２ｂの幅寸法より多少大きな環状の領域部分だけ既存防水層１５の一部、即ちモルタル層１６とアスファルト層１７とを残してその上部の層が除去される。すなわち、プレコンクリート部材１２の主体部１２ａより外側の所定環状領域については、下側２層１６，１７を残してその上部の押さえコンクリート層１８のみが除去される。このようにして既存防水層１５の一部及び全部が除去されると、その除去部分にレベル調整用の急結モルタル２０が設置される。
【００２１】
その後、図５に示されるように露出された下地コンクリート表面１４のうち、プレコンクリート部材１２の空洞部１３に整合する領域内に適当な数の穴２１が開けられる。第１の実施形態では、プレコンクリート部材１２の空洞部１３に整合する四角形領域における四隅に位置する箇所が削孔され、その内部に数本の鉄筋２２が束にされ、それらの一端側が入れられ、コンクリート又は接着剤などが充填されて固定される。これらの鉄筋２２は、最終的に形成される基礎１０Ａを補強するものであるので、これら鉄筋２２の本数や太さ、或いは配筋位置などは、この基礎１０Ａに載置される機器の重量などにより適宜選択される。また、これら鉄筋２２が下地コンクリート表面１４に埋め込まれるとき、この下地コンクリート表面１４からの立ち上がり高さは、プレコンクリート部材１２の高さより低くなるような寸法とされる。
【００２２】
次いで、図６に示されるように前述した環状のプレコンクリート部材１２が、複数の鉄筋２２を囲むように配置される。すなわち、既存防水層１５の一部及び全部を除去した部分において、プレコンクリート部材１２の主体部１２ａにおける底面環状部が、露出した下地コンクリート表面１４上に置かれ、これによりプレコンクリート部材１２の空洞部１３内には、下地コンクリートに埋め込まれた複数の鉄筋２２が相対的に入り込んだ状態となる。プレコンクリート部材１２の空洞部１３内に位置する各鉄筋２２の下地コンクリート表面１４からの立ち上がり高さは、前述したようにプレコンクリート部材１２の全高よりも短いので、空洞部１３から上方に飛び出すことはない。
【００２３】
このようにして環状のプレコンクリート部材１２が屋上スラブ１１の所定位置に配置されると、プレコンクリート部材１２の外周付近における既存防水層除去部分を補修するため、既存防水層１５の除去部分には新たな表面処理層即ち防水層２３が新設される。具体的に説明すると、既存防水層１５を部分的に除去した箇所には、図７に示されるようにアスファルト層１７の上に新たに塩化ビニルなどからなる第１樹脂シート２３ａが配置される。この第１樹脂シート２３ａは、プレコンクリート部材１２の主体部１２ａ外側面に沿って立ち上がり、この外側面に密着されている。プレコンクリート部材１２の主体部１２ａ外側面に沿って立ち上がった第１樹脂シート２３ａの上端部は、プレコンクリート部材１２における上部拡大部１２ｂの下面と主体部１２ａの外側面との連接部でシール端部金物押さえ２４により固定されている。
【００２４】
そして、第１樹脂シート２３ａ上には、この樹脂シート２３ａを含めた新たな防水層２３（図２参照）が設置される。このような新たな防水層は、従来知られている種々の構成を採用することができ、その施工場所に適した態様で構成することができる。図２では、最上部に配置される防水シートを含めてこの新たな防水層全体を符号２３で示しその層構造の詳細は省略しているが、かかる防水層２３の一例を説明すると、例えば、第１樹脂シート２３ａ上にアスファルト層を設け、このアスファルト層は、プレコンクリート部材１２の外側面に沿って立ち上がっている第１樹脂シート２３ａの表面にも形成される。そして、下地コンクリート表面１４の直上部分におけるアスファルト層上には押さえコンクリートが打設され、また、プレコンクリート部材１２の外側面に沿って立ち上がっている第１樹脂シート２３ａの表面上のアスファルト層にはモルタルが塗られ、これら押さえコンクリートとモルタルとの上には塩化ビニルなどからなる防水シート２３ｂが設けられる。このような新たな防水層２３の上端は、シール端部金物押さえ２４によりプレコンクリート部材１２の主体部１２ａに固定されている。なお、新たな防水層２３と既存防水層１５との取合部には、水などの侵入防ぐために目地シールなどを充填することが好ましい。
【００２５】
次いで、プレコンクリート部材１２における空洞部１３の上部には十字状に鉄筋２５が配置される。これらの鉄筋２５は、プレコンクリート部材１２における空洞部１３の内壁に予め開けられた孔に端部を差し込むようにして取り付けられる。その後、図７に示されるように空洞部１３には、コンクリート又はグラウトなどの充填材が打設され、所定の時間に渡って養生されて硬化することによりプレコンクリート部材１２と一体化された充填材料部２６が形成される。プレコンクリート部材１２の空洞部１３にコンクリート又はグラウトなどの充填材を充填するとき、機器を据え付けるための架台（図示せず）の脚などを予め配置しておき、充填材料部２６の形成時にそれを埋め込むこともできる。なお、プレコンクリート部材１２の空洞部１３内壁面は、空洞部１３に充填される充填材との付着力を高めるために粗面、即ち非常に細かい凹凸を形成した面に仕上げられている。このようにしてプレコンクリート部材１２の空洞部１３に充填材料部２６が形成されると、プレコンクリート部材１２の上部拡大部１２ｂを含む上部全体を包囲するようにウレタン樹脂が塗布され防水被膜２７が形成される。
【００２６】
このように、第１の実施形態に係る据付け基礎１０Ａ及びその施工方法では、特に、表面に防水層１５が形成されている屋上スラブ１１の場合でも、既存防水層１５の一部及び全部を除去した後に直ちに、内部が空洞となった環状のプレコンクリート部材１２を配置するので、該プレコンクリート部材１２の外側周囲における既存防水層除去部分を補修することができ、既存防水層１５の部分的な除去から補修までを非常に短時間で行え、従って降雨などによる漏水の恐れがまったくないばかりか、基礎１０Ａの施工自体が短期間であるので施工コストの低減化も図ることができる。
【００２７】
前述した第１の実施形態では、環状のプレコンクリート部材１２の空洞部１３内において、その四隅に位置する箇所に鉄筋２２が配筋されていたが、本発明では空洞部１３内に配筋する鉄筋２２の位置については第１の実施形態に限定されるものではない。例えば、図８及び図９には、第２の実施形態に係る据付け基礎１０Ｂの施工途中の状態が示されている。この据付け基礎１０Ｂの場合には、プレコンクリート部材１２の空洞部１３内で鉄筋２２が分散して配筋されている。具体的に説明すると、第２の実施形態に係る据付け基礎１０Ｂでは、下地コンクリート表面１４のうち、プレコンクリート部材１２の空洞部１３に整合する領域内にレベル調整用急結モルタル２０を配置し、次いでその領域内において分散して削孔し、それら削孔に鉄筋２２の一端側を入れ、コンクリート又は接着剤などを充填して固定する。
【００２８】
これらの鉄筋２２は、図１〜図７に示される実施形態と同様に、最終的に形成される基礎１０Ｂを補強するものであるので、これら鉄筋２２の本数や太さ、或いは配筋位置などは、この基礎１０Ｂに載置される機器の重量などにより適宜選択される。また、これら鉄筋２２が下地コンクリート表面１４に埋め込まれるとき、この下地コンクリート表面１４からの立ち上がり高さは、プレコンクリート部材１２の高さより低くなるような寸法とされる。その後、プレコンクリート部材１２が、空洞部１３内に鉄筋２２を相対的に挿入するようにレベル調整用急結モルタル２０上に設置される。このようにしてプレコンクリート部材１２が配置された後の施工は、第１の実施形態と同じであるのでその説明を省略する。
【００２９】
前述した各実施形態に係る据付け基礎１０Ａ，１０Ｂ及びその施工方法は、典型的な例について説明したもので、本発明の趣旨の範囲内で種々の変形をすることができる。例えば、前述した実施形態では、プレコンクリート部材１２の主体部１２ａや上部拡大部１２ｂの外形、或いは空洞部１３の横断面形状が、四角形であったが、本発明ではこのような形状に限定されるものではなく種々の形状のものを使用することができる。また、前述した各実施形態では、コンクリート建物の屋上スラブに機器などを据付けるための据付け基礎１０Ａ，１０Ｂを施工する場合について説明したが、本発明では屋上スラブに限定されるものではなく、例えば、コンクリート建物における機械室のスラブに機器を新たに据え付ける場合や、コンクリートの表面に鉄塔やフェンスなどを設置する際に形成する据付け基礎としても適用することができる。
【００３０】
さらに、このようなコンクリート建物或いはコンクリート表面が既存のものであるか、新築又は新設されるものであるかという違いは、本発明の据付け基礎１０Ａ，１０Ｂ及びその施工方法を限定するものではない。従って、本発明の据付基礎１０Ａ，１０Ｂが、新築のコンクリート建物において防水層のないスラブなどに形成される場合には、当然に防水層を除去する工程はなく、下地コンクリートの形成後、プレコンクリート部材１２が設置される予定の領域に直ちに鉄筋２２が配筋される。その場合でも、下地コンクリートの打設時に予め鉄筋２２を配筋しておけば、「削孔」という工程も省略することができる。要するに、新築又は既存のコンクリート建物、或いは新設又は既存のコンクリートにおいて、防水層を備えるスラブやコンクリート、或いはこのような防水層を備えないスラブやコンクリートなどであっても本発明に係る据付け基礎１０Ａ，１０Ｂ及びその施工方法を適用することができる。
【００３１】
特に、後者の場合、すなわち、防水層が施されていない新築又は既存のコンクリート建物におけるスラブや、新設又は既存のコンクリートなどの場合には、一般的には下地コンクリート表面の上にモルタル層が形成されているだけなので、プレコンクリート部材を設置した後にその周辺の防水処理をする必要もないことから、内側が空洞になったプレコンクリート部材を用いた本発明の据付け基礎１０Ａ，１０Ｂ及びその施工方法を用いることで、多大な労力を必要とせず、かつ短期間に、強度の高い据付け基礎を形成することができ、施工コストの低減化を図ることができる。
【００３２】
以上説明したように、前述した２つの実施形態に係る据付け基礎によれば、内側が空洞になった環状のプレコンクリート部材を用いてかかる据付け基礎１０Ａ，１０Ｂを施工することにより強度の高い基礎を多大な労力を必要とせずにかつ短期間に施工することができるので、施工コストの低減化を図ることができるばかりではなく、屋上スラブのような箇所でも漏水などの問題を起こすことなく施工することができる。
【符号の説明】
【００３３】
１０Ａ，１０Ｂ    据付け基礎
１１    屋上スラブ
１２    環状のプレコンクリート部材
１２ａ    主体部
１２ｂ    上部拡大部
１３    空洞部
１４    下地コンクリート表面
１５    表面処理層（防水層）
１６    モルタル層
１７    アスファルト層
１８    押さえコンクリート層
１９    主体部の底面形状に整合する領域部分
２１    鉄筋取付け用の削孔
２２    鉄筋
２３    新たな表面処理層（防水層）
２４    シール端部金物押さえ
２５    鉄筋
２６    充填材料部
２７    防水皮膜
【図１】
0005576207.tif 000002
【図２】
0005576207.tif 000003
【図３】
0005576207.tif 000004
【図４】
0005576207.tif 000005
【図５】
0005576207.tif 000006
【図６】
0005576207.tif 000007
【図７】
0005576207.tif 000008
【図８】
0005576207.tif 000009
【図９】
0005576207.tif 000010